(57)【要約】【課題】小型にして気体混入水を効率良く生成するとともに、気体の混入率の調節が容易に行なえる気体混入水生成装置及び加湿装置を得る。【解決手段】  ケーシング（６）内に液体の流入部（８）と、該流入部（８）を絞った絞り部（９）と、該絞り部（９）から拡開する円錐部（１０）とを下流方向に向けて直列に形成し、前記円錐部（１０）の下流側に半径方向に広がる衝突壁（１２）を形成するとともに、該衝突壁（１２）に多数の凹凸部（１３）を形成し、前記衝突壁（１２）が位置する前記円錐部（１０）の下流側の周壁に半径方向に延びる流出路（１４）を形成し、前記絞り部（９）と円錐部（１０）との連通部に半径方向外方から連通する気体流入路（２１）を形成する。また、前記流出路（１４）から流出した気体混入水を霧化して外部に噴出する霧化装置（３０）を設ける。【選択図】図２
2007313437.tif 000002
【特許請求の範囲】
【請求項１】
ケーシング（６）内に液体の流入部（８）と、該流入部（８）を絞った絞り部（９）と、該絞り部（９）から拡開する円錐部（１０）とを下流方向に向けて直列に形成し、前記円錐部（１０）の下流側に半径方向に広がる衝突壁（１２）を形成するとともに、該衝突壁（１２）に多数の凹凸部（１３）を形成し、前記衝突壁（１２）が位置する前記円錐部（１０）の下流側の周壁に半径方向に延びる流出路（１４）を形成し、前記絞り部（９）と円錐部（１０）との連通部に半径方向外方から連通する気体流入路（２１）を形成したことを特徴とする気体混入水生成装置。
【請求項２】
衝突壁（１２）を凹面（１２ａ）又は凸面（１２ｂ）となる曲面にするとともに、該曲面に多数の凹凸部（１３）を形成したことを特徴とする請求項１記載の気体混入水生成装置。
【請求項３】
流入部（８）に水を供給し、気体流入路（２１）にオゾンを供給したことを特徴とする請求項１又は２記載の気体混入水生成装置。
【請求項４】
請求項１記載の気体混入水生成装置（５）と水槽（２）とを設け、前記気体混入水生成装置（５）の流入部（８）に前記水槽（２）内の水を供給し、前記気体混入水生成装置（５）の流出路（１４）から流出した気体混入水を前記水槽（２）内に流出させ、前記水槽（２）内の水を霧化して外部に噴出する霧化装置（３０）を設けたことを特徴とする加湿装置。
【請求項５】
流入部（８）に水を供給し、気体流入路（２１）にオゾンを供給したことを特徴とする請求項４記載の加湿装置。
【発明の詳細な説明】
【技術分野】
【０００１】
本発明は、水にオゾン、酸素等の気体を混入して水の鮮度保持、消毒等を行なう気体混入水生成装置、及び前記気体の混入した気体混入水を食品収容ケース、食品等に噴出させて食品の鮮度保持、消毒等を行なう加湿装置に関するものである。
【背景技術】
【０００２】
殺菌作用を有するオゾンを水に混入させ、このオゾン混入水を霧化させて収穫した魚類、野菜等の生鮮食料品に噴霧し、該生鮮食料品に付着した有害な微生物、害虫を駆除するとともに、該生鮮食料品に水分を補給することにより、前記生鮮食料品の鮮度を保持することは一般に知られている。
【０００３】
前記従来のものは、オゾン発生器により作られたオゾンを水槽内で気泡状に噴出させてオゾン混入水を生成するようにしていたため、オゾン混入水を効率良く生成することができないとともに、オゾンの混入率を調節するすることが困難になるものであった。
【特許文献１】特開平１０−２２５５０７号公報。
【特許文献２】特開平４−１０８３３３号公報。
【発明の開示】
【発明が解決しようとする課題】
【０００４】
本発明は、小型にして気体混入水を効率良く生成するとともに、気体の混入率の調節が容易に行なえる気体混入水生成装置及び加湿装置を得ることを目的とする。
【課題を解決するための手段】
【０００５】
本発明は、上記目的を達成するために以下の如く構成したものである。即ち、請求項１に係る発明は、ケーシング内に液体の流入部と、該流入部を絞った絞り部と、該絞り部から拡開する円錐部とを下流方向に向けて直列に形成し、前記円錐部の下流側に半径方向に広がる衝突壁を形成するとともに、該衝突壁に多数の凹凸部を形成し、前記衝突壁が位置する前記円錐部の下流側の周壁に半径方向に延びる流出路を形成し、前記絞り部と円錐部との連通部に半径方向外方から連通する気体流入路を形成する構成にしたものである。
請求項２に係る発明は、前記衝突壁を凹面又は凸面となる曲面にするとともに、該曲面に多数の凹凸部を形成したものである。
請求項３に係る発明は、前記流入部に水を供給し、気体流入路にオゾンを供給したものである。
請求項４に係る発明は、請求項１記載の気体混入水生成装置と水槽とを設け、前記気体混入水生成装置の流入部に前記水槽内の水を供給し、前記気体混入水生成装置の流出路から流出した気体混入水を前記水槽内に流出させ、前記水槽内の水を霧化して外部に噴出する霧化装置を設ける構成にしたものである。
請求項５に係る発明は、請求項４の加湿装置の気体流入路にオゾンを供給するようにしたものである。
【発明の効果】
【０００６】
請求項１に係る発明は、流入部に液体が加圧供給されると、該液体が絞り部から円錐部に向かって高速で流通し、絞り部と円錐部との連通部に負圧が発生し、この部に気体流入路から気体が吸引されることになる。該吸引された気体は、前記円錐部を流通する液体に運ばれて該液体と共に円錐部の下流側に設けた衝突壁に衝突する。該衝突壁には多数の凹凸部が形成されているので、該凹凸部によって前記液体及び気体が細分化されるとともに両者が混合され、気体の混入した気体混入水が生成される。そして、前記気体混入水は円錐部の下流側に連通させた流出路から外部に流出されることになる。
請求項２に係る発明は、前記衝突壁を凹面又は凸面となる曲面にしたので、衝突壁の面積及びこの部に形成する凹凸部が増大するとともに、衝突水の散乱機能が高くなり、前記気体混入水の生成効率がより高くなる。
請求項３に係る発明は、流入部から水が、また、気体流入路からオゾンが流入し、これらが前記衝突壁に衝突する過程でオゾン混入水となり、オゾンの殺菌作用で水、あるいは水槽内で生息している雑菌、害虫等を死滅させることになる。
請求項４に係る発明は、水槽の水がケーシング−水槽間を循環する過程で時間経過とともに気体を含んだ気体混入水となり、該気体混合水が霧化装置によって霧化され、水槽外に噴霧されることになる。これにより、部屋、食品収容ケース等の室内を加湿するとともに、該室内の環境を改善することになる。
請求項５に係る発明は、オゾン混入水が霧化装置によって霧化されて水槽外に噴霧され、部屋、食品収容ケース等の室内を加湿するとともに、オゾンの殺菌作用により前記室内で生息している雑菌、害虫等を死滅させることになる。
【発明を実施するための最良の形態】
【０００７】
以下本発明の実施例を図面に基づいて説明する。図において、図１は本発明の実施例を示す略画した側面断面図、図２は本発明による気体混入水生成装置の拡大断面図、図３は本発明による気体混入水生成装置の第２実施例を示す要部拡大断面図、図４は本発明による気体混入水生成装置の第３実施例を示す要部拡大断面図である。図１において、１は加湿装置であり、水槽２内に気体混入水生成装置５、及び霧化装置３０を配置してなる。
【０００８】
前記気体混入水生成装置５は図１〜図３に示すようになっている。即ち、ケーシング６に水の流通路７を形成する。該流通路７は、ケーシング６の軸心部に、下部から上部に向かって流入部８、絞り部９、円錐部１０、誘導部１１を直列にかつ同軸に連通形成し、誘導部１１の上部の周壁に４個の流出路１４を放射状に形成し、該流出路１４を介して前記誘導部１１の上部を水槽２内に開口させるようになっている。
【０００９】
前記流入部８は、その上部をテーパー状に縮小させさせて絞り部９に連通させ、該流入部８の下部に管継手１５をねじ込み、該管継手１５を介してポンプ１６の吐出管１７に接続する。前記ポンプ１６は、水槽２の外部に設置され、その吸引管１８の吸引口を水槽２の底部に配置し、水槽２内の水を０．１Ｍｐａ以上の圧力で前記流入部８に供給するようになっている。
【００１０】
前記円錐部１０は、絞り部９の上部から上方に向けてテーパー状に拡開させ、その上端をストレート状の誘導部１１に連通させる。該誘導部１１の上端は、半径方向に広がる衝突壁１２によって閉塞し、該衝突壁１２の衝突面（内面）全面に多数の凹凸部１３を形成する。なお、前記衝突壁１２の衝突面は、図１に示すように平坦にし、該平坦な衝突面に多数の凹凸部１３を形成してもよく、図３に示すように、衝突面を凹面１２ａにし、該凹面１２ａに多数の小凹部（ディンプル）１３ａを形成してもよく、あるいは、図４に示すように、衝突面を凸面１２ｂにし、該凸面１２ｂに多数の小凸部１３ｂを形成するようにしてもよい。前記小凸面を凹面１２ａあるいは凸面１２ｂにすると、衝突面の面積及びこの部に形成する凹凸部１３（１３ａ，１３ｂ）が増大するとともに、衝突水の散乱機能が高くなり、気体混入水の生成効率がより高くなる。
【００１１】
前記絞り部９と円錐部１０との連通部に段状に大径にした環状の負圧室２０を形成し、該負圧室２０に半径方向外方から気体流入路２１を連通させる。該気体流入路２１に気体供給用の管継手２２をねじ込み、該管継手２２に水槽２の外部に設置したオゾン発生装置２５の供給管２６を接続する。２７はオゾンの供給量を調節する調節弁である。
【００１２】
前述した霧化装置３０は、従来から知られている超音波式のもので、超音波振動子３１を微振動させて水槽内の水を霧化し、この霧化した水を誘導ケース３２によって外部に誘導する。前記霧化装置３０は、前記ポンプ１６及びオゾン発生装置２５、即ち、気体混入水生成装置５が作動して一定時間経過した後に作動されるようになっている。なお、前記誘導ケース３２内にファンを取付け、該ファンによって霧化した水を強制的に外部に噴出させるようにしてもよい。
【００１３】
前記実施例によれば、オゾン発生装置２５を作動させた状態でポンプ１６を起動させると、水槽２内の水が吸引管１８、吐出管１７を介して流入部８に加圧供給され、該流入部８に供給された水が絞り部９から円錐部１０、誘導部１１に向かって高速で流通することになる。このとき、前記絞り部９と円錐部１０との連通部に形成した負圧室２０に負圧が発生し、この部に気体流入路２１からオゾンが吸引されることになる。
【００１４】
前記吸引されたオゾンは、円錐部１０、誘導部１１を流通する水に運ばれて該水と共に円錐部１０の下流側に設けた衝突壁１２（１２ａ，１２ｂ）に激しく衝突し、該衝突壁１２に形成された凹凸部１３（１３ａ，１３ｂ）によって前記水及びオゾンが細分化されるとともに混合され、この部でオゾンが数十μｍの微細気泡となって水内に効率良く溶解し、高濃度のオゾン混入水が生成される。このオゾン混入水は誘導部１１の下流側に形成した流出路１４から水槽２内に戻され、該水槽２内の水が時間経過とともにオゾンを含んだオゾン混入水となる。なお、前記負圧室２０に吸引されるオゾンの量（水へのオゾン混入量）は、調節弁２７を操作することによって調節する。
【００１５】
前記水槽２内の水に規定のオゾンが混入されると、霧化装置３０が作動し、前記水槽２内の水（オゾン混入水）が霧化されつつ、外部に向けて噴出される。この噴出物を、例えば魚類、野菜等が収容された食品収容ケースに導入すると、殺菌作用を有するオゾンによって食品収容ケースの空間部で浮遊、あるいは魚類、野菜等に付着している雑菌、害虫等を死滅させるとともに、魚類、野菜等の乾燥を防止し、鮮度を保持することになる。
【００１６】
また、霧化装置３０を省略し、気体混入水生成装置５を魚類が生息している水槽内に配置し、気体流入路２１に酸素（空気）を供給すると、前記水槽内の水に空気が混入し、水槽内の魚類が安定して生息することになる。なお、前記気体流入路２１には、気体混入水生成装置５の用途によってオゾン、酸素（空気）、二酸化炭素等の気体を選択して供給する。
【図面の簡単な説明】
【００１７】
【図１】本発明の実施例を示す略画した側面断面図である。
【図２】本発明による気体混入水生成装置の拡大断面図である。
【図３】気体混入水生成装置の第２実施例を示す要部拡大断面図である。
【図４】気体混入水生成装置の第３実施例を示す要部拡大断面図である。
【符号の説明】
【００１８】
１    加湿装置
２    水槽
５    気体混入水生成装置
６    ケーシング
７    流通路
８    流入部
９    絞り部
１０    円錐部
１１    誘導部
１２    衝突壁
１２ａ  凹面
１２ｂ  凸面
１３    凹凸部
１３ａ  小凹部
１３ｂ  小凸部
１５    管継手
１６    ポンプ
１７    吐出管
１８    吸引管
２０    負圧室
２１    気体流入路
２２    管継手
２５    オゾン発生装置
２６    供給管
２７    調節弁
３０    霧化装置
３１    超音波振動子
３２    誘導ケース
【図１】
2007313437.tif 000003
【図２】
2007313437.tif 000004
【図３】
2007313437.tif 000005
【図４】
2007313437.tif 000006